【手続補正書】
【提出日】平成16年9月24日(2004.9.24)
【手続補正１】
【補正対象書類名】特許請求の範囲
【補正対象項目名】全文
【補正方法】変更
【補正の内容】
【特許請求の範囲】
【請求項１】
多数の画素がマトリクス状に配列された表示部を有し、供給される画像信号に応じた映像を表示させるディスプレイの駆動装置において、
少なくとも１行単位に画素を選択する第１の駆動回路と、選択行に対してＯＮ信号とＯＦＦ信号からなる表示用情報を出力する第２の駆動回路と、第１及び第２の駆動回路を少なくとも時間変調方式を用いて制御する信号制御回路とを具備し、
１枚の画像の表示期間を１フィールドとしたとき、前記１フィールドを複数の表示サイクルに分割し、
前記１フィールドは、
画素のＯＦＦ状態からＯＮ状態への遷移を制御する、１つあるいは２つ以上の連続した表示サイクルからなる１つの第１の表示サイクル群と、
画素に記憶されたＯＮ状態の消去を制御する、１つあるいは２つ以上の連続した表示サイクルからなる１つの第２の表示サイクル群とからなり、
前記第１の表示サイクル群の直後から前記第２の表示サイクル群が配置され、
前記第１の表示サイクル群においてＯＦＦ状態から遷移した画素のＯＮ状態が、前記第２の表示サイクル群を構成する表示サイクルの１つにおいて消去されるまで、画素のメモリ効果を利用して維持され、
前記第１の表示サイクル群を構成する表示サイクルと前記第２の表示サイクル群を構成する表示サイクルで割り当て時間が異なることを特徴とするディスプレイの駆動装置。
【請求項２】
多数の画素がマトリクス状に配列された表示部を有し、供給される画像信号に応じた映像を表示させるディスプレイの駆動装置において、
少なくとも１行単位に画素を選択する第１の駆動回路と、選択行に対してＯＮ信号とＯＦＦ信号からなる表示用情報を出力する第２の駆動回路と、第１及び第２の駆動回路を少なくとも時間変調方式を用いて制御する信号制御回路とを具備し、
１枚の画像の表示期間を１フィールドとしたとき、前記１フィールドを複数の表示サイクルに分割し、
前記１フィールドは、
画素のＯＦＦ状態からＯＮ状態への遷移を制御する、１つあるいは２つ以上の連続した表示サイクルからなる１つの第１の表示サイクル群と、
画素に記憶されたＯＮ状態の消去を制御する、１つあるいは２つ以上の連続した表示サイクルからなる１つの第２の表示サイクル群とからなり、
前記第１の表示サイクル群の直後から前記第２の表示サイクル群が配置され、
前記第１の表示サイクル群においてＯＦＦ状態から遷移した画素のＯＮ状態が、前記第２の表示サイクル群を構成する表示サイクルの１つにおいて消去されるまで、画素のメモリ効果を利用して維持され、
前記第１の表示サイクル群を構成する表示サイクルと前記第２の表示サイクル群を構成する表示サイクルで割り当て時間が異なり、
少なくとも前記第２の表示サイクル群は、各行毎に画素のＯＮ状態の維持／消去を制御する行走査期間を有し、ＯＮ状態の画素は、前記行走査が最終行まで終了する前の期間において発光を行う表示サイクルを含むことを特徴とするディスプレイの駆動装置。
【請求項３】
多数の画素がマトリクス状に配列された表示部を有し、供給される画像信号に応じた映像を表示させるディスプレイの駆動方法において、
少なくとも１行単位に画素を選択し、選択行に対してＯＮ信号とＯＦＦ信号からなる表示用情報を出力し、少なくとも時間変調方式を用いて階調制御するものであって、
１枚の画像の表示期間を１フィールドとしたとき、前記１フィールドを複数の表示サイクルに分割し、
前記１フィールドは、
画素のＯＦＦ状態からＯＮ状態への遷移を制御する、１つあるいは２つ以上の連続した表示サイクルからなる１つの第１の表示サイクル群と、
画素に記憶されたＯＮ状態の消去を制御する、１つあるいは２つ以上の連続した表示サイクルからなる１つの第２の表示サイクル群とからなり、
前記第１の表示サイクル群の直後から前記第２の表示サイクル群が配置され、
前記第１の表示サイクル群においてＯＦＦ状態から遷移した画素のＯＮ状態が、前記第２の表示サイクル群を構成する表示サイクルの１つにおいて消去されるまで、画素のメモリ効果を利用して維持され、
前記第１の表示サイクル群を構成する表示サイクルと前記第２の表示サイクル群を構成する表示サイクルで割り当て時間が異なることを特徴とするディスプレイの駆動方法。
【請求項４】
多数の画素がマトリクス状に配列された表示部を有し、供給される画像信号に応じた映像を表示させるディスプレイの駆動方法において、
少なくとも１行単位に画素を選択し、選択行に対してＯＮ信号とＯＦＦ信号からなる表示用情報を出力し、少なくとも時間変調方式を用いて階調制御するものであって、
１枚の画像の表示期間を１フィールドとしたとき、前記１フィールドを複数の表示サイクルに分割し、
前記１フィールドは、
画素のＯＦＦ状態からＯＮ状態への遷移を制御する、１つあるいは２つ以上の連続した表示サイクルからなる１つの第１の表示サイクル群と、
画素に記憶されたＯＮ状態の消去を制御する、１つあるいは２つ以上の連続した表示サイクルからなる１つの第２の表示サイクル群とからなり、
前記第１の表示サイクル群の直後から前記第２の表示サイクル群が配置され、
前記第１の表示サイクル群においてＯＦＦ状態から遷移した画素のＯＮ状態が、前記第２の表示サイクル群を構成する表示サイクルの１つにおいて消去されるまで、画素のメモリ効果を利用して維持され、
前記第１の表示サイクル群を構成する表示サイクルと前記第２の表示サイクル群を構成する表示サイクルで割り当て時間が異なり、
少なくとも前記第２の表示サイクル群は、各行毎に画素のＯＮ状態の維持／消去を制御する行走査期間を有し、ＯＮ状態の画素は、前記行走査が最終行まで終了する前の期間において発光を行う表示サイクルを含むことを特徴とするディスプレイの駆動方法。
【手続補正２】
【補正対象書類名】明細書
【補正対象項目名】０００５
【補正方法】変更
【補正の内容】
【０００５】
一方、パネル型のディスプレイ、例えば液晶ディスプレイは、装置全体を小型化でき、消費電力が少ないという利点がある。プラズマディスプレイ及び電歪型ディスプレイは、前記液晶ディスプレイと同様に、表示部自体が体積をとらないため、小型化が可能であり、平板な表示面であるため、見やすいという長所があり、特に、交流型プラズマディスプレイ及び電歪型ディスプレイにおいては、セルの記憶作用により、リフレッシュメモリが不要であるという長所も有する。
【特許文献１】米国特許第５，３２１，４１８Ａ号明細書
【特許文献２】米国特許第５，４２４，７５２Ａ号明細書
【特許文献３】欧州特許出願公開第０８５１２６０Ａ２号明細書
【手続補正３】
【補正対象書類名】明細書
【補正対象項目名】０００９
【補正方法】変更
【補正の内容】
【０００９】
本発明に係るディスプレイの駆動装置は、多数の画素がマトリクス状に配列された表示部を有し、供給される画像信号に応じた映像を表示させるディスプレイの駆動装置において、少なくとも１行単位に画素を選択する第１の駆動回路と、選択行に対してＯＮ信号とＯＦＦ信号からなる表示用情報を出力する第２の駆動回路と、第１及び第２の駆動回路を少なくとも時間変調方式を用いて制御する信号制御回路とを具備し、１枚の画像の表示期間を１フィールドとしたとき、前記１フィールドを複数の表示サイクルに分割し、前記１フィールドは、画素のＯＦＦ状態からＯＮ状態への遷移を制御する、１つあるいは２つ以上の連続した表示サイクルからなる１つの第１の表示サイクル群と、画素に記憶されたＯＮ状態の消去を制御する、１つあるいは２つ以上の連続した表示サイクルからなる１つの第２の表示サイクル群とからなり、前記第１の表示サイクル群の直後から前記第２の表示サイクル群が配置され、前記第１の表示サイクル群においてＯＦＦ状態から遷移した画素のＯＮ状態が、前記第２の表示サイクル群を構成する表示サイクルの１つにおいて消去されるまで、画素のメモリ効果を利用して維持され、前記第１の表示サイクル群を構成する表示サイクルと前記第２の表示サイクル群を構成する表示サイクルで割り当て時間が異なることを特徴とする。
また、本発明に係るディスプレイの駆動装置は、多数の画素がマトリクス状に配列された表示部を有し、供給される画像信号に応じた映像を表示させるディスプレイの駆動装置において、少なくとも１行単位に画素を選択する第１の駆動回路と、選択行に対してＯＮ信号とＯＦＦ信号からなる表示用情報を出力する第２の駆動回路と、第１及び第２の駆動回路を少なくとも時間変調方式を用いて制御する信号制御回路とを具備し、１枚の画像の表示期間を１フィールドとしたとき、前記１フィールドを複数の表示サイクルに分割し、前記１フィールドは、画素のＯＦＦ状態からＯＮ状態への遷移を制御する、１つあるいは２つ以上の連続した表示サイクルからなる１つの第１の表示サイクル群と、画素に記憶されたＯＮ状態の消去を制御する、１つあるいは２つ以上の連続した表示サイクルからなる１つの第２の表示サイクル群とからなり、前記第１の表示サイクル群の直後から前記第２の表示サイクル群が配置され、前記第１の表示サイクル群においてＯＦＦ状態から遷移した画素のＯＮ状態が、前記第２の表示サイクル群を構成する表示サイクルの１つにおいて消去されるまで、画素のメモリ効果を利用して維持され、前記第１の表示サイクル群を構成する表示サイクルと前記第２の表示サイクル群を構成する表示サイクルで割り当て時間が異なり、少なくとも前記第２の表示サイクル群は、各行毎に画素のＯＮ状態の維持／消去を制御する行走査期間を有し、ＯＮ状態の画素は、前記行走査が最終行まで終了する前の期間において発光を行う表示サイクルを含むことを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】変更
【補正の内容】
【００５９】
次に、本発明に係るディスプレイの駆動方法は、多数の画素がマトリクス状に配列された表示部を有し、供給される画像信号に応じた映像を表示させるディスプレイの駆動方法において、少なくとも１行単位に画素を選択し、選択行に対してＯＮ信号とＯＦＦ信号からなる表示用情報を出力し、少なくとも時間変調方式を用いて階調制御するものであって、１枚の画像の表示期間を１フィールドとしたとき、前記１フィールドを複数の表示サイクルに分割し、前記１フィールドは、画素のＯＦＦ状態からＯＮ状態への遷移を制御する、１つあるいは２つ以上の連続した表示サイクルからなる１つの第１の表示サイクル群と、画素に記憶されたＯＮ状態の消去を制御する、１つあるいは２つ以上の連続した表示サイクルからなる１つの第２の表示サイクル群とからなり、前記第１の表示サイクル群の直後から前記第２の表示サイクル群が配置され、前記第１の表示サイクル群においてＯＦＦ状態から遷移した画素のＯＮ状態が、前記第２の表示サイクル群を構成する表示サイクルの１つにおいて消去されるまで、画素のメモリ効果を利用して維持され、前記第１の表示サイクル群を構成する表示サイクルと前記第２の表示サイクル群を構成する表示サイクルで割り当て時間が異なることを特徴とする。
また、本発明に係るディスプレイの駆動方法は、多数の画素がマトリクス状に配列された表示部を有し、供給される画像信号に応じた映像を表示させるディスプレイの駆動方法において、少なくとも１行単位に画素を選択し、選択行に対してＯＮ信号とＯＦＦ信号からなる表示用情報を出力し、少なくとも時間変調方式を用いて階調制御するものであって、１枚の画像の表示期間を１フィールドとしたとき、前記１フィールドを複数の表示サイクルに分割し、前記１フィールドは、画素のＯＦＦ状態からＯＮ状態への遷移を制御する、１つあるいは２つ以上の連続した表示サイクルからなる１つの第１の表示サイクル群と、画素に記憶されたＯＮ状態の消去を制御する、１つあるいは２つ以上の連続した表示サイクルからなる１つの第２の表示サイクル群とからなり、前記第１の表示サイクル群の直後から前記第２の表示サイクル群が配置され、前記第１の表示サイクル群においてＯＦＦ状態から遷移した画素のＯＮ状態が、前記第２の表示サイクル群を構成する表示サイクルの１つにおいて消去されるまで、画素のメモリ効果を利用して維持され、前記第１の表示サイクル群を構成する表示サイクルと前記第２の表示サイクル群を構成する表示サイクルで割り当て時間が異なり、少なくとも前記第２の表示サイクル群は、各行毎に画素のＯＮ状態の維持／消去を制御する行走査期間を有し、ＯＮ状態の画素は、前記行走査が最終行まで終了する前の期間において発光を行う表示サイクルを含むことを特徴とする。
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】明細書
【補正対象項目名】００６４
【補正方法】削除
【補正の内容】
【手続補正５９】
【補正対象書類名】明細書
【補正対象項目名】００６５
【補正方法】削除
【補正の内容】
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】００６８
【補正方法】削除
【補正の内容】
【手続補正６３】
【補正対象書類名】明細書
【補正対象項目名】００６９
【補正方法】削除
【補正の内容】
【手続補正６４】
【補正対象書類名】明細書
【補正対象項目名】００７０
【補正方法】削除
【補正の内容】
【手続補正６５】
【補正対象書類名】明細書
【補正対象項目名】００７１
【補正方法】削除
【補正の内容】
【手続補正６６】
【補正対象書類名】明細書
【補正対象項目名】００７２
【補正方法】削除
【補正の内容】
【手続補正６７】
【補正対象書類名】明細書
【補正対象項目名】００７３
【補正方法】削除
【補正の内容】
【手続補正６８】
【補正対象書類名】明細書
【補正対象項目名】００７４
【補正方法】削除
【補正の内容】
【手続補正６９】
【補正対象書類名】明細書
【補正対象項目名】００７８
【補正方法】変更
【補正の内容】
【００７８】
駆動部１６は、例えばセラミックスにて構成されたアクチュエータ基板１８を有し、該アクチュエータ基板１８の各画素に応じた位置にアクチュエータ部１４が配設されている。前記アクチュエータ基板１８は、一主面が光導波板１２の背面に対向するように配置されており、該一主面は連続した面（面一）とされている。アクチュエータ基板１８の内部には、各画素に対応した位置にそれぞれ後述する振動部を形成するための空所２０が設けられている。各空所２０は、アクチュエータ基板１８の他主面に設けられた径の小さい貫通孔１８ａを通じて外部と連通されている。
【手続補正７０】
【補正対象書類名】明細書
【補正対象項目名】０１９５
【補正方法】変更
【補正の内容】
【０１９５】
この第５の変形例に係るディスプレイＤｅは、図２５に示すように、基本的には、本実施の形態に係るディスプレイＤとほぼ同様の構成を有するが、アクチュエータ部１４の上部電極２８ａと接地線７６との間に圧電リレー４００が挿入接続されている点で異なり、この圧電リレー４００を設ける関係から、構造的にも本実施の形態に係るディスプレイＤと異なる。
【手続補正７１】
【補正対象書類名】明細書
【補正対象項目名】０２６１
【補正方法】変更
【補正の内容】
【０２６１】
例えば１行１列の画素について、図３６Ｂに示すように、該画素の階調レベルが例えば５の奇数であった場合、発光維持期間の開始を示す第２の表示サイクルＴｄ２の選択期間Ｓに同期してＯＮ信号が出力され、発光維持期間の終了を示す奇偶調整サイクルＴｃの後端のリセット期間Ｒに同期してＯＦＦ信号が出力されるように制御する。その他の選択期間Ｓ及びリセット期間Ｒに出力させる信号としては、ＯＮ信号又はＯＦＦ信号のどちらでもよい。この第５の具体例では、発光維持期間に含まれる第３の表示サイクルＴｄ３における選択期間Ｓと奇偶調整サイクルＴｃの先頭のリセット期間ＲにおいてＯＮ信号を出力させ、発光維持期間以外の期間に含まれる第１の表示サイクルＴｄ１の選択期間ＳにＯＦＦ信号を出力させた例を示す。
【手続補正７２】
【補正対象書類名】明細書
【補正対象項目名】０２６６
【補正方法】変更
【補正の内容】
【０２６６】
上述の第１〜第５の具体例は、１フィールド内に等間隔の表示サイクルＴｄを最大階調レベルに応じた数分だけ割り当てた例を示したが、その他、以下に示す第６の具体例及び第７の具体例に示すように、１フィールド内に、所定長の単位非選択期間を有する少なくとも１つの単位表示サイクルと、少なくとも１つの冗長表示サイクルを割り当て、前記冗長表示サイクルに前記所定長のｎ倍（ｎは２以上の整数）の長さを有する冗長非選択期間を設けるようにしてもよい。ここで、ｎを便宜的に冗長度と定義する。
【手続補正７３】
【補正対象書類名】明細書
【補正対象項目名】０２７３
【補正方法】変更
【補正の内容】
【０２７３】
また、階調レベル９〜１２を表現する場合は、第２の冗長表示サイクルＴＤ２の前段に割り当てられた２番目の選択期間Ｓ、前記３番目及び４番目の選択期間Ｓに同期してＯＮ信号を出力し、当該画素の階調レベルに応じた個数の単位表示サイクルＴｄ１〜Ｔｄ４におけるリセット期間Ｒに同期してＯＮ信号とＯＦＦ信号を出力する。
【手続補正７４】
【補正対象書類名】明細書
【補正対象項目名】０３０６
【補正方法】変更
【補正の内容】
【０３０６】
図４６において、Ｓ／ＯＮは選択された画素の選択期間ＳでＯＮ信号が出力されている場合を示し、Ｓ／ＯＦＦは当該画素の選択期間ＳでＯＦＦ信号が出力されている場合を示し、Ｒ／ＯＦＦは当該画素のリセット期間ＲでＯＦＦ信号が出力されている場合を示す。従って、この図４６の例では、Ｓ／ＯＮとされた時点からＲ／ＯＦＦとされる時点までが発光維持期間となる。